(57)【要約】      （修正有）【課題】通信端末装置が複数の通信方式に対応する場合でも、操作の煩雑化を抑制する。【解決手段】第２通信端末装置１０ｂは、第１通信方式によりサービスを提供するための第１情報と、第２通信方式による通信を実行するための第２情報とが対応づけられたリンク情報を第１通信方式によりサーバ装置２０に通知する。第１通信端末装置１０ａは、サーバ装置２０に対して、リンク情報の送信を第１通信方式により要求するとともに、サーバ装置２０からのリンク情報を第１通信方式により受けつける。第１通信端末装置１０ａは、サービスの提供を第１通信方式により受けている場合に、第２通信方式により第２通信端末装置１０ｂとの通信を実行するとき、リンク情報に含まれた第２情報をもとにした通信を優先的に実行する。【選択図】図１
2016100765.tif 000002
【特許請求の範囲】
【請求項１】
互いに異なった第１通信方式と第２通信方式による通信を実行可能な第１通信端末装置と、
第１通信方式と第２通信方式による通信を実行可能な第２通信端末装置と、
前記第１通信端末装置と前記第２通信端末装置との通信を実行可能なサーバ装置とを備え、
前記第２通信端末装置は、第１通信方式によりサービスを提供するための第１情報と、第２通信方式による通信を実行するための第２情報とが対応づけられたリンク情報を第１通信方式により前記サーバ装置に通知し、
前記第１通信端末装置は、前記サーバ装置に対して、リンク情報の送信を第１通信方式により要求するとともに、前記サーバ装置からのリンク情報を第１通信方式により受けつけ、
前記第１通信端末装置は、サービスの提供を第１通信方式により受けている場合に、第２通信方式により前記第２通信端末装置との通信を実行するとき、リンク情報に含まれた第２情報をもとにした通信を優先的に実行することを特徴とする通信システム。
【請求項２】
前記第１通信端末装置は、サービスの提供を前記サーバ装置を経由して受けていることを特徴とする請求項１に記載の通信システム。
【請求項３】
前記第２通信端末装置が提供しているサービスは、動画配信であり、
前記第１通信端末装置において実行される第２通信方式による通信は、業務用無線通信方式による音声通信であり、
前記第２通信端末装置が通知する第２情報は、業務用無線通信方式でのチャネルタイプの情報と、識別情報とを含むことを特徴とする請求項１または２に記載の通信システム。
【請求項４】
互いに異なった第１通信方式と第２通信方式による通信を実行可能な第１通信端末装置と、
第１通信方式と第２通信方式による通信を実行可能な第２通信端末装置と、
前記第１通信端末装置と前記第２通信端末装置との通信を実行可能なサーバ装置とを備え、
前記第２通信端末装置は、第１通信方式によりサービスを提供されるための第１情報と、第２通信方式による通信を実行するための第２情報とが対応づけられたリンク情報を第１通信方式により前記サーバ装置に通知し、
前記第１通信端末装置は、前記サーバ装置に対して、リンク情報の送信を第１通信方式により要求するとともに、前記サーバ装置からのリンク情報を第１通信方式により受けつけ、
前記第１通信端末装置は、サービスを提供している場合に、第２通信方式により前記第２通信端末装置との通信を実行するとき、リンク情報に含まれた第２情報をもとにした通信を優先的に実行することを特徴とする通信システム。
【請求項５】
互いに異なった第１通信方式と第２通信方式による通信を実行可能な第１通信端末装置と、
第１通信方式と第２通信方式による通信を実行可能な第２通信端末装置と、
前記第１通信端末装置と前記第２通信端末装置との通信を実行可能なサーバ装置とを備え、
前記第２通信端末装置は、第１通信方式によりサービスを提供されるための第１情報と、第２通信方式による通信を実行するための第２情報とが対応づけられたリンク情報を第１通信方式により前記サーバ装置に通知し、
前記第１通信端末装置は、前記サーバ装置に対して、リンク情報の送信を第１通信方式により要求するとともに、前記サーバ装置からのリンク情報を第１通信方式により受けつけ、
前記第１通信端末装置は、第１通信方式でのブロードキャスト送信により、サービスを提供し、かつサービスの提供を前記第２通信端末装置が受けていることを第１通信方式により通知された場合に、第２通信方式により前記第２通信端末装置との通信を実行するとき、リンク情報に含まれた第２情報をもとにした通信を優先的に実行することを特徴とする通信システム。
【請求項６】
前記第２通信端末装置は、サービスの提供を前記サーバ装置を経由して受けていることを特徴とする請求項４または５に記載の通信システム。
【請求項７】
前記第１通信端末装置が提供しているサービスは、動画配信であり、
前記第１通信端末装置において実行される第２通信方式による通信は、業務用無線通信方式による音声通信であり、
前記第２通信端末装置が通知する第２情報は、業務用無線通信方式でのチャネルタイプの情報と、識別情報とを含むことを特徴とする請求項４から６のいずれかに記載の通信システム。
【発明の詳細な説明】
【技術分野】
【０００１】
本発明は、通信技術に関し、特に少なくとも２つの通信方式に対応した通信システムに関する。
【背景技術】
【０００２】
電子情報機器同士の無線ネットワーク接続に関して、さまざまな接続方法が実施されている。無線ネットワーク接続される電子情報機器の一例は、プロジェクタとＰＣである。プロジェクタは、ＰＣに保持される第２の無線設定情報に共通の情報として設定された第１の無線設定情報を保持し、ＰＣは、プロジェクタに保持される第１の無線設定情報に共通の情報として設定された第２の無線設定情報を保持する。これらの無線設定情報には、無線の通信モード、無線の通信プロトコル、接続される無線端末装置のＩＰアドレスおよび周波数チャネルが含まれている。プロジェクタおよびＰＣは、ＳＳＩＤと無線設定情報をもとに無線ネットワーク接続を実行する（例えば、特許文献１）。
【先行技術文献】
【特許文献】
【０００３】
【特許文献１】特開２０１３−２２２９９１号公報
【発明の概要】
【発明が解決しようとする課題】
【０００４】
１つの通信端末装置が２つ以上の無線方式に対応する場合、それぞれの無線方式に対して接続が必要になる。例えば、通信端末装置が、ＬＴＥ（Ｌｏｎｇ  Ｔｅｒｍ  Ｅｖｏｌｕｔｉｏｎ）、ＷｉＦｉ（登録商標）（Ｗｉｒｅｌｅｓｓ  Ｆｉｄｅｌｉｔｙ）などのＩＰ（Ｉｎｔｅｒｎｅｔ  Ｐｒｏｔｏｃｏｌ）通信（以下、「携帯通信」という）と、業務用無線とに対応する場合、ユーザは、携帯通信と業務用無線を別々に操作する。具体的に説明すると、携帯通信により動画ストリーミングを送受する機能と、業務用無線で音声を送受する機能とは互いに独立しているので、動画ストリーミングで映像を送出している相手と通話する場合に、業務用無線のチャネルをユーザが選択しなければならない。つまり、ユーザは、携帯通信の接続先と業務用無線の接続先を別々に認識し、その選択を行った上で音声通信をする必要があり、操作が煩雑になる。
【０００５】
本発明はこうした状況に鑑みてなされたものであり、その目的は、複数の通信方式に対応する場合でも操作の煩雑化を抑制する技術を提供することである。
【課題を解決するための手段】
【０００６】
上記課題を解決するために、本発明のある態様の通信システムは、互いに異なった第１通信方式と第２通信方式による通信を実行可能な第１通信端末装置と、第１通信方式と第２通信方式による通信を実行可能な第２通信端末装置と、第１通信端末装置と第２通信端末装置との通信を実行可能なサーバ装置とを備える。第２通信端末装置は、第１通信方式によりサービスを提供するための第１情報と、第２通信方式による通信を実行するための第２情報とが対応づけられたリンク情報を第１通信方式によりサーバ装置に通知し、第１通信端末装置は、サーバ装置に対して、リンク情報の送信を第１通信方式により要求するとともに、サーバ装置からのリンク情報を第１通信方式により受けつけ、第１通信端末装置は、サービスの提供を第１通信方式により受けている場合に、第２通信方式により第２通信端末装置との通信を実行するとき、リンク情報に含まれた第２情報をもとにした通信を優先的に実行する。
【０００７】
本発明の別の態様もまた、通信システムである。この通信システムは、互いに異なった第１通信方式と第２通信方式による通信を実行可能な第１通信端末装置と、第１通信方式と第２通信方式による通信を実行可能な第２通信端末装置と、第１通信端末装置と第２通信端末装置との通信を実行可能なサーバ装置とを備える。第２通信端末装置は、第１通信方式によりサービスを提供されるための第１情報と、第２通信方式による通信を実行するための第２情報とが対応づけられたリンク情報を第１通信方式によりサーバ装置に通知し、第１通信端末装置は、サーバ装置に対して、リンク情報の送信を第１通信方式により要求するとともに、サーバ装置からのリンク情報を第１通信方式により受けつけ、第１通信端末装置は、サービスを提供している場合に、第２通信方式により第２通信端末装置との通信を実行するとき、リンク情報に含まれた第２情報をもとにした通信を優先的に実行する。
【０００８】
本発明のさらに別の態様もまた、通信システムである。この通信システムは、互いに異なった第１通信方式と第２通信方式による通信を実行可能な第１通信端末装置と、第１通信方式と第２通信方式による通信を実行可能な第２通信端末装置と、第１通信端末装置と第２通信端末装置との通信を実行可能なサーバ装置とを備える。第２通信端末装置は、第１通信方式によりサービスを提供されるための第１情報と、第２通信方式による通信を実行するための第２情報とが対応づけられたリンク情報を第１通信方式によりサーバ装置に通知し、第１通信端末装置は、サーバ装置に対して、リンク情報の送信を第１通信方式により要求するとともに、サーバ装置からのリンク情報を第１通信方式により受けつけ、第１通信端末装置は、第１通信方式でのブロードキャスト送信により、サービスを提供し、かつサービスの提供を第２通信端末装置が受けていることを第１通信方式により通知された場合に、第２通信方式により第２通信端末装置との通信を実行するとき、リンク情報に含まれた第２情報をもとにした通信を優先的に実行する。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、複数の通信方式に対応する場合でも操作の煩雑化を抑制できる。
【図面の簡単な説明】
【００１１】
【図１】本発明の実施例１に係る通信システムの構成を示す図である。
【図２】図１の第１通信端末装置の構成を示す図である。
【図３】図１の第２通信端末装置の構成を示す図である。
【図４】図１のサーバ装置の構成を示す図である。
【図５】図３の第２通信端末装置から送信されるリンク情報のデータ構造を示す図である。
【図６】図４のサーバ装置に記憶されるデータベースのデータ構造を示す図である。
【図７】図２の第１通信端末装置において表示される画面を示す図である。
【図８】図４のサーバ装置から出力されるリンク情報のデータ構造を示す図である。
【図９】図２の第１通信端末装置において表示される画面を示す図である。
【図１０】図２の第１通信端末装置から出力される画像要求のデータ構造を示す図である。
【図１１】図４のサーバ装置から出力される画像要求のデータ構造を示す図である。
【図１２】図１の通信システムによる通信手順を示すシーケンス図である。
【図１３】図４のサーバ装置によるリンク情報要求の受信手順を示すフローチャートである。
【図１４】図４のサーバ装置によるリンク情報要求の別の受信手順を示すフローチャートである。
【図１５】図４のサーバ装置による動画データの配信手順を示すフローチャートである。
【図１６】本発明の実施例２に係る第１通信端末装置の構成を示す図である。
【図１７】本発明の実施例２に係る第２通信端末装置の構成を示す図である。
【図１８】本発明の実施例２に係る通信システムによる通信手順を示すシーケンス図である。
【図１９】本発明の実施例３に係る第１通信端末装置の構成を示す図である。
【図２０】本発明の実施例３に係る第２通信端末装置の構成を示す図である。
【図２１】本発明の実施例３に係る通信システムによる通信手順を示すシーケンス図である。
【図２２】本発明の実施例４に係る通信システムの構成を示す図である。
【図２３】図２２の第２通信端末装置の構成を示す図である。
【図２４】図２２の通信システムによる通信手順を示すシーケンス図である。
【図２５】本発明の実施例５に係る第１通信端末装置の構成を示す図である。
【図２６】本発明の実施例５に係る第２通信端末装置の構成を示す図である。
【図２７】本発明の実施例５に係る通信システムによる通信手順を示すシーケンス図である。
【図２８】本発明の実施例６に係る第１通信端末装置の構成を示す図である。
【図２９】本発明の実施例６に係る第２通信端末装置の構成を示す図である。
【図３０】本発明の実施例６に係る通信システムによる通信手順を示すシーケンス図である。
【発明を実施するための形態】
【００１２】
（実施例１）
本発明を具体的に説明する前に、まず概要を述べる。本発明の実施例１は、２つの無線通信方式、例えば、携帯通信と業務用無線とが含まれた通信システムに関する。携帯通信は、前述のごとく、ＬＴＥ、ＷｉＦｉなどのＩＰ通信であるが、これら以外にもＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の無線ＭＡＮ（Ｍｅｔｒｏｐｏｌｉｔａｎ  Ａｒｅａ  Ｎｅｔｗｏｒｋ）を含んでもよい。これは、ＴＣＰ（Ｔｒａｎｓｍｉｓｓｉｏｎ  Ｃｏｎｔｒｏｌ  Ｐｒｏｔｏｃｏｌ）／ＩＰやその上下のレイヤを利用して通信する。携帯通信では、音声通信も可能であるが、ここでは、データ通信、特に動画像のストリーミング配信を説明の対象にする。一方、業務用無線は、予め定められた無線ＣＨにおいて音声通信を実行する。音声通信の一例がＰＴＴ（Ｐｕｓｈ  ｔｏ  Ｔａｌｋ）である。ＰＴＴでは、ユーザが、会話中にボタンを押し、会話終了時にボタンを離す。また、業務用無線では、複数の通信端末装置によってグループを形成することも可能である。業務用無線の基地局装置は、グループに対して、上りチャネルと下りチャネルを割り当てる。このような状況下において、グループ中の１つの通信端末装置が、上りチャネルにて信号を送信し、グループ中の他の通信端末装置が、下りチャネルにて信号を受信する。
【００１３】
本実施例に係る通信端末装置は、携帯通信により他の通信端末装置からの動画像を受信している場合に、動画像の送信元になる他の通信端末装置に対して、業務用無線による音声通信を実行する。その際の操作の煩雑化を抑制するために、通信端末装置は、動画像の受信前に、携帯通信によってサーバ装置にアクセスし、サーバ装置からリンク情報を取得する。リンク情報は、他の通信端末装置が動画像をストリーミング配信する場合のＩＰアドレスと、他の通信端末装置が業務用無線を使用する場合の無線ＣＨ情報とを対応づけた情報である。通信端末装置は、リンク情報から無線ＣＨを取得して、業務用無線による音声通信を実行する。
【００１４】
図１は、本発明の実施例１に係る通信システム１００の構成を示す。通信システム１００は、通信端末装置１０と総称される第１通信端末装置１０ａ、第２通信端末装置１０ｂ、携帯通信用基地局装置１２と総称される第１携帯通信用基地局装置１２ａ、第２携帯通信用基地局装置１２ｂ、交換局１４、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）１６、インターネット１８、サーバ装置２０、業務用無線用基地局装置２２と総称される第１業務用無線用基地局装置２２ａ、第２業務用無線用基地局装置２２ｂ、ネットワーク２４を含む。
【００１５】
通信端末装置１０は、携帯通信と業務用無線による通信を実行可能な装置である。携帯通信と業務用無線については公知の技術が使用されればよいので、ここでは説明を省略する。また、第１通信端末装置１０ａと第２通信端末装置１０ｂのうちの一方が、動画像をストリーミング配信すべきサーバ機能を実行し、他方が、ストリーミング配信された動画像を受信して再生するクライアント機能を実行する。なお、第１通信端末装置１０ａと第２通信端末装置１０ｂは、サーバ機能とクライアント機能とを有しているが、状況に応じていずれかを実行する。さらに、説明を明瞭にするために、ここでは、第１通信端末装置１０ａが業務用無線による音声通信の発信側に相当し、第２通信端末装置１０ｂが業務用無線による音声通信の受信側に相当するが、逆の関係であってもよい。
【００１６】
携帯通信用基地局装置１２は、携帯通信のシステムに対応した基地局装置である。携帯通信用基地局装置１２は、一端側において、携帯通信により通信端末装置１０に接続され、他端側において、交換局１４に接続される。第１携帯通信用基地局装置１２ａと第２携帯通信用基地局装置１２ｂとは、異なった位置に設置される。交換局１４は、携帯通信を制御する。交換局１４は、ＰＳＴＮ１６、インターネット１８にも接続される。交換局１４での制御によって、第１通信端末装置１０ａと第２通信端末装置１０ｂとが、第１携帯通信用基地局装置１２ａ、交換局１４、第２携帯通信用基地局装置１２ｂを介して通信可能になる。また、通信端末装置１０は、携帯通信用基地局装置１２、交換局１４を介して、ＰＳＴＮ１６やインターネット１８と通信可能である。
【００１７】
ＰＳＴＮ１６は、加入電話回線ネットワークであり、回線交換方式による音声通話を実行する。インターネット１８は、ＩＰ通信により主にデータ通信を実行する。サーバ装置２０は、インターネット１８に接続され、インターネット１８、交換局１４、携帯通信用基地局装置１２を介して通信端末装置１０との通信を実行する。サーバ装置２０は、後述するリンク情報を記憶・管理する。通信端末装置１０は、携帯通信用基地局装置１２、交換局１４、インターネット１８を介してサーバ装置２０にアクセスし、サーバ装置２０にリンク情報を登録したり、サーバ装置２０からリンク情報を取得したりする。このような形態により、第１通信端末装置１０ａと第２通信端末装置１０ｂとの間において、リンク情報の交換が可能になる。
【００１８】
業務用無線用基地局装置２２は、業務用無線のシステムに対応した基地局装置である。業務用無線用基地局装置２２は、一端側において、業務用無線により通信端末装置１０に接続され、他端側において、ネットワーク２４に接続される。第１業務用無線用基地局装置２２ａと第２業務用無線用基地局装置２２ｂとは、異なった位置に設置される。ネットワーク２４は、第１業務用無線用基地局装置２２ａと第２業務用無線用基地局装置２２ｂとを接続する。このような接続によって、第１通信端末装置１０ａと第２通信端末装置１０ｂは、第１業務用無線用基地局装置２２ａ、ネットワーク２４、第２業務用無線用基地局装置２２ｂを介して、通信可能になる。なお、第１通信端末装置１０ａと第２通信端末装置１０ｂの両方が、第１業務用無線用基地局装置２２ａに接続されて通信可能であってもよい。
【００１９】
図２は、第１通信端末装置１０ａの構成を示す。第１通信端末装置１０ａは、携帯通信部３０、業務用無線通信部３２、処理部３４、操作部３６、モニタ３８、マイク４０、スピーカ４２、記憶部４４、制御部４６を含む。処理部３４は、携帯通信処理部３００、業務用無線処理部３０２を含む。携帯通信処理部３００は、リンク情報要求部３１０、リンク情報受付部３１２、動画要求部３１４、動画受付部３１６、動画再生部３１８を含む。第１通信端末装置１０ａは、動画像のストリーミング配信におけるクライアント機能を実行するとともに、業務用無線での発信を実行する。
【００２０】
携帯通信部３０は、携帯通信用基地局装置１２との間で携帯通信による通信を実行する。また、携帯通信部３０は、携帯通信用基地局装置１２、交換局１４を介して、他の通信端末装置１０、ＰＳＴＮ１６、インターネット１８、サーバ装置２０と通信する。通信端末装置１０における携帯通信部３０の特定は、例えば、ＩＰアドレスによってなされる。このＩＰアドレスは、携帯通信によりサービスを提供するため、あるいは携帯通信によりサービスを提供されるための情報であり、以下では、これを「第１情報」という。なお、本実施例におけるサービスは、動画配信である。そのため、第１情報は、携帯通信により動画像を配信する際の宛先の情報であったり、携帯通信により動画像の配信を受ける際の配信元の情報であったりする。
【００２１】
業務用無線通信部３２は、業務用無線用基地局装置２２との間で業務用無線による通信を実行する。また、業務用無線通信部３２は、業務用無線用基地局装置２２を介して、他の業務用無線通信部３２との間で音声通信を実行する。通信端末装置１０における業務用無線通信部３２の特定は、無線ＣＨによってなされ、無線ＣＨは、業務用無線通信方式でのチャネルタイプの情報と、ユーザＩＤやグループＩＤ等の識別情報とによって特定される。以下では、これらを「第２情報」という。そのため、第２情報は、業務用無線による通信を実行するための情報である。
【００２２】
処理部３４は、携帯通信部３０、業務用無線通信部３２による通信を制御する。また、処理部３４は、動画像を配信したり、配信された動画像を再生したりする。処理部３４は、後述の第２通信端末装置１０ｂ、サーバ装置２０と関連しながら処理を実行するので、それらの処理と合わせて後述する。
【００２３】
操作部３６は、ボタン、タッチパネル等によって構成されており、ユーザからの入力を受けつける。操作部３６は、受けつけた入力を処理部３４へ出力する。モニタ３８は、処理部３４からの画像、動画像、メッセージを受けつけ、それらを表示する。画面がタッチパネルである場合、モニタ３８は、操作部３６と一体的に構成される。マイク４０は、通話の際に、ユーザからの音声を受けつけ、音声を音声信号に変換する。マイク４０は、音声信号を処理部３４へ出力する。スピーカ４２は、通話の際に、処理部３４からの音声信号を受けつけ、音声信号を音声として出力する。なお、スピーカ４２は、警告音等を出力してもよい。記憶部４４は、本通信端末装置１０のリンク情報、他の通信端末装置１０のリンク情報、動画データ等を記憶する。記憶部４４への書込、記憶部４４からの読出しは、処理部３４によってなされる。制御部４６は、第１通信端末装置１０ａの動作を制御する。
【００２４】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２５】
図３は、第２通信端末装置１０ｂの構成を示す。第２通信端末装置１０ｂは、携帯通信部５０、業務用無線通信部５２、処理部５４、操作部５６、モニタ５８、マイク６０、スピーカ６２、記憶部６４、制御部６６を含む。処理部５４は、携帯通信処理部５００、業務用無線処理部５０２を含む。携帯通信処理部５００は、リンク情報登録部５１０、動画要求受付部５１２、動画出力部５１４を含む。第２通信端末装置１０ｂは、動画像のストリーミング配信におけるサーバ機能を実行するとともに、業務用無線での着信を実行する。
【００２６】
携帯通信部５０から制御部６６は、図２の携帯通信部３０から制御部４６と同様であるので、ここでは説明を省略する。処理部５４は、前述の処理部３４と同様に、第１通信端末装置１０ａ、サーバ装置２０と関連しながら処理を実行するので、それらの処理と合わせて後述する。
【００２７】
図４は、サーバ装置２０の構成を示す。サーバ装置２０は、通信部７０、処理部７２、記憶部７４を含む。通信部７０は、インターネット１８に接続され、インターネット１８、交換局１４、携帯通信用基地局装置１２を介して通信端末装置１０と通信する。処理部７２は、通信部７０を介して、通信端末装置１０からのリンク情報を受けつけたり、通信端末装置１０へリンク情報を出力したりする。リンク情報は、１つの通信端末装置１０に対する第１情報と第２情報との組合せであり、１つの通信端末装置１０に対する携帯通信と業務用無線とを関連付けるための情報である。また、リンク情報を複数集めたものもリンク情報という。記憶部７４は、リンク情報を記憶する。
【００２８】
以下では、第１通信端末装置１０ａにおける処理部３４、第２通信端末装置１０ｂにおける処理部５４、サーバ装置２０における処理部７２の処理を説明する。第２通信端末装置１０ｂの携帯通信部５０は、指示を受けつけて、携帯通信用基地局装置１２に接続する。第２通信端末装置１０ｂのリンク情報登録部５１０は、携帯通信によりサーバ装置２０へ、第２通信端末装置１０ｂのリンク情報を送信することによって、サーバ装置２０にリンク情報を登録する。前述のごとく、リンク情報は、携帯通信によりサービスを提供するためのＩＰアドレスである第１情報と、業務用無線による通信を実行するための識別情報等の第２情報とを含む。
【００２９】
図５は、第２通信端末装置１０ｂから送信されるリンク情報のデータ構造を示す。図示のごとく、携帯通信情報、業務用無線情報、その他情報を含む。携帯通信情報は、前述の第１情報に相当し、ＩＰアドレスである。業務用無線情報は、前述の第２情報に相当し、チャネルタイプ、ユーザＩＤ、グループＩＤを含む。チャネルタイプは、業務用無線情報において規定されている複数種類のプロトコルのいずれかを特定するための情報である。ユーザＩＤは、第２通信端末装置１０ｂを特定するための識別情報であり、グループＩＤは、第２通信端末装置１０ｂが含まれているグループを特定するための識別情報である。これらの情報の組合せによって無線ＣＨが特定される。その他情報は、携帯通信、業務用無線以外の通信を実行する際の情報である。なお、業務用無線の音声通信で必要な周波数情報などはあらかじめ双方の端末側で設定されていて、それらの情報はユーザＩＤ、グループＩＤによって関連付けされている。
【００３０】
サーバ装置２０の処理部７２は、第２通信端末装置１０ｂからのリンク情報を受けつけ、リンク情報を記憶部７４に記憶させる。図６は、サーバ装置２０に記憶されるデータベースのデータ構造を示す。図示のごとく、各通信端末装置１０の携帯通信情報、業務用通信情報、その他情報が含まれる。これらについては、図５に示したとおりである。これらは、通信端末装置１０からサーバ装置２０までのネットワーク接続状況が変化するたびに更新される。更新の際、処理部７２は、ユーザＩＤをキーとして古い情報を抽出して、それを新たな情報に書きかえる。
【００３１】
第１通信端末装置１０ａのモニタ３８は、ユーザに指示の入力を促すための画面を表示する。図７は、第１通信端末装置１０ａにおいて表示される画面を示す。メインメニュー２００は、動画ボタン２０２、通話ボタン２０４、その他ボタン２０６を含む。ユーザが動画ボタン２０２を選択すると、第１通信端末装置１０ａのリンク情報要求部３１０は、サーバ装置２０に対して、携帯通信によりリンク情報の送信を要求する。これにより、リンク情報要求がサーバ装置２０に送信される。
【００３２】
サーバ装置２０の処理部７２は、第１通信端末装置１０ａからのリンク情報要求を受けつけると、記憶部７４からリンク情報を取得し、第１通信端末装置１０ａへリンク情報を送信する。図８は、サーバ装置２０から出力されるリンク情報のデータ構造を示す。送信されるリンク情報は、図７と同様である。
【００３３】
第１通信端末装置１０ａのリンク情報受付部３１２は、サーバ装置２０からのリンク情報を携帯通信により受けつける。リンク情報受付部３１２は、リンク情報を受けつけると、リンク情報を記憶部４４に記憶する。また、リンク情報受付部３１２は、リンク情報をもとに動画選択画面を生成してモニタ３８に表示させる。図９は、第１通信端末装置１０ａにおいて表示される画面を示す。動画選択画面２１０は、スライドバー２１２、動画選択ボタン２１４、無線ＣＨ切替ボタン２１６を含む。動画選択ボタン２１４がユーザによって選択されると、携帯通信による動画像のストリーミング受信が開始される。無線ＣＨ切替ボタン２１６がユーザによって選択されると、動画像にリンクした無線ＣＨへの切替がなされる。なお、この操作では、業務用無線の無線ＣＨが切り替えられるだけで、ＰＴＴによる音声は送信されない。
【００３４】
第１通信端末装置１０ａの動画要求部３１４は、動画選択画面にてユーザが任意の動画選択ボタン２１４を選択すると、選択された動画像の動画要求を携帯通信にてサーバ装置２０に送信する。図１０は、第１通信端末装置１０ａから出力される動画要求のデータ構造を示す。動画要求には、送信元情報と宛先情報とが含まれる。ここで、送信元情報とは、動画要求の送信元に関する情報であり、第１通信端末装置１０ａのリンク情報の一部に相当する。また、宛先情報は、動画要求の最終的な宛先であり、第２通信端末装置１０ｂのＩＰアドレスである。これまでの処理では、記憶部４４に記憶されたリンク情報をもとに動画選択画面２１０が生成されてから、動画要求が送信されている。つまり、記憶部４４に記憶されたリンク情報をもとに動画要求が送信されている。しかしながら、動画要求は、記憶部４４に記憶されたリンク情報をもとに送信されなくてもよい。例えば、第１通信端末装置１０ａのユーザが第２通信端末装置１０ｂのＩＰアドレスを知っていて、ＩＰアドレスを直接入力することによって、動画要求が送信されてもよい。また、ここでの第１情報以外の情報をもとに、動画要求が送信されてもよい。
【００３５】
サーバ装置２０の処理部７２は、第１通信端末装置１０ａからの動画要求を受けつけ、これに応じて動画要求を第２通信端末装置１０ｂに送信する。処理部７２は、受けつけた動画要求に含まれた送信元情報をもとに動画配信の許可判定を行い、動画要求先から既に動画配信されていない場合に限って、動画要求を第２通信端末装置１０ｂに送信する。図１１は、サーバ装置２０から出力される動画要求のデータ構造を示す。送信先情報には、サーバ装置２０のルートのＩＰアドレスが指定され、また動画フォーマット情報には、サーバ装置２０の設定によって予め定義された情報が指定される。動画配信の送信先をサーバ装置２０のルートのＩＰアドレスに指定する理由は、第２通信端末装置１０ｂに動画配信のための複雑な処理をさせないためである。
【００３６】
第２通信端末装置１０ｂの動画要求受付部５１２は、サーバ装置２０からの動画要求を受信する。第２通信端末装置１０ｂの動画出力部５１４は、動画要求に応じて、記憶部６４に記憶された動画データをサーバ装置２０に送信する。サーバ装置２０の処理部７２は、第２通信端末装置１０ｂからの動画データを受けつける。処理部７２は、動画配信の要求と許可判定にしたがって、動画データを第１通信端末装置１０ａに送信する。ここで、処理部７２は、第２通信端末装置１０ｂから送信された動画データを記憶部７４に一旦バッファリングしておき、動画要求を受けつけ、かつ動画配信の許可判定が許可と判断した場合に、動画要求元の通信端末装置１０に随時動画配信する。このように、動画データは、サーバ装置２０を経由して配信される。
【００３７】
第１通信端末装置１０ａの動画受付部３１６は、サーバ装置２０からの動画データを携帯通信にて受けつける。動画受付部３１６は、受けつけた動画データを動画再生部３１８に出力する。第１通信端末装置１０ａの動画再生部３１８は、動画受付部３１６からの動画データを再生し、再生した動画データをモニタ３８に表示させる。
【００３８】
このように第１通信端末装置１０ａは、リンク情報に含まれた第１情報をもとに動画データの配信を携帯通信により受けている。そのような状況下において、ユーザ操作によって、視聴中の動画配信元に対して音声を送信すべく、音声送信の宛先の選択およびＰＴＴなどの操作がなされると、業務用無線処理部３０２は、音声送信を実行する。具体的に説明すると、業務用無線処理部３０２は、業務用無線により第２通信端末装置１０ｂとの通信を実行するとき、リンク情報に含まれた第２情報をもとにした通信を優先的に実行する。リンク情報に含まれた第２情報をもとにした通信とは、第２情報をもとに特定される無線ＣＨでの通信に相当する。これに応じて、第２通信端末装置１０ｂの業務用無線処理部５０２は、業務用無線による通信を実行する。
【００３９】
以上の構成による通信システム１００の動作を説明する。図１２は、通信システム１００による通信手順を示すシーケンス図である。第２通信端末装置１０ｂは、携帯通信による接続を実行する（Ｓ１０）。第２通信端末装置１０ｂは、サーバ装置２０にリンク情報を登録する（Ｓ１２）。第１通信端末装置１０ａにリンク情報要求が入力される（Ｓ１４）。第１通信端末装置１０ａは、サーバ装置２０へリンク情報要求を送信する（Ｓ１６）。サーバ装置２０は、第１通信端末装置１０ａにリンク情報を通知する（Ｓ１８）。第１通信端末装置１０ａに動画要求が入力される（Ｓ２０）。第１通信端末装置１０ａは、サーバ装置２０へ動画要求を送信し（Ｓ２２）、サーバ装置２０は、第２通信端末装置１０ｂへ動画要求を送信する（Ｓ２４）。第２通信端末装置１０ｂは、サーバ装置２０へ動画データを送信し（Ｓ２６）、サーバ装置２０は、第１通信端末装置１０ａへ動画データを送信する（Ｓ２８）。第１通信端末装置１０ａにおいてＰＴＴのために、操作部３６のボタンが押下げられる（Ｓ３０）。第１通信端末装置１０ａは、第２通信端末装置１０ｂへ音声を送信する（Ｓ３２）。
【００４０】
図１３は、サーバ装置２０によるリンク情報要求の受信手順を示すフローチャートである。処理部７２は、リンク情報が既に登録済であり（Ｓ５０のＹ）、通知が許可されていれば（Ｓ５２のＹ）、リンク情報の通知処理を実行する（Ｓ５４）。一方、処理部７２は、リンク情報が登録済でない場合（Ｓ５０のＮ）、あるいは通知が許可されていない場合（Ｓ５２のＮ）、エラー処理を実行する（Ｓ５６）。
【００４１】
図１４は、サーバ装置２０によるリンク情報要求の別の受信手順を示すフローチャートである。処理部７２は、リンク情報が既に登録済であり（Ｓ７０のＹ）、通知が許可されていれば（Ｓ７２のＹ）、リンク情報の通知処理を実行する（Ｓ７６）。一方、処理部７２は、通知が許可されていない場合（Ｓ７２のＮ）、リンク情報のフィルタリングを実行し（Ｓ７４）、リンク情報の通知処理を実行する（Ｓ７６）。処理部７２は、リンク情報が登録済でない場合（Ｓ７０のＮ）、エラー処理を実行する（Ｓ７８）。
【００４２】
図１５は、サーバ装置２０による動画データの配信手順を示すフローチャートである。配信許可がされていると（Ｓ９０のＹ）、処理部７２は、第１通信端末装置１０ａへ動画データを配信し（Ｓ９２）、第２通信端末装置１０ｂへ配信通知を送信する（Ｓ９４）。一方、配信許可がされていないと（Ｓ９０のＮ）、処理部７２は、エラー処理を実行する（Ｓ９６）。なお、配信通知の送信は省略されてもよい。
【００４３】
本実施例によれば、第２通信端末装置についてのリンク情報を受けているので、第２通信端末装置から動画データを携帯通信により受信している場合に第２通信端末装置へ業務用無線により発信するときに、リンク情報の第２情報をもとに、第２通信端末装置の無線ＣＨを特定できる。また、予めリンク情報を受けつけているので、第２通信端末装置の無線ＣＨを自動的に特定できる。また、携帯通信により動画データを受信しているときに、第２通信端末装置の無線ＣＨが自動的に特定されるので、複数の通信方式に対応する場合でも操作の煩雑化を抑制できる。また、リンク情報の管理はサーバ装置においてなされるので、通信端末装置の処理を簡易化できる。
【００４４】
また、動画データの配信がサーバ装置を介してなされるので、許可判定を実行できる。また、サーバ装置において許可判定が実行されるので、通信端末装置での許可判定を不要にできる。また、サーバ装置において許可判定が実行されるので、配信の安全性を確保できる。また、サーバ装置が動画データを一旦記憶して配信するので、同一の動画データを複数の通信端末装置に配信する場合でも、通信送信端末は、当該動画データを再度配信することを不要にできる。また、携帯通信の接続先と業務用無線の無線ＣＨの連携された情報を使ってチャネル操作がなされるので、ユーザの操作負荷を減少できる。
【００４５】
（実施例２）
次に、実施例２を説明する。本発明の実施例２も、実施例１と同様に、２つの無線通信方式が含まれた通信システムに関する。実施例１に係る通信端末装置は、携帯通信により動画像を受信している場合に、動画像の送信元になる他の通信端末装置に対して、業務用無線による音声通信を実行する。一方、実施例２に係る通信端末装置は、実施例１と比較して動画像の送信元と宛先との関係が逆になる。つまり、通信端末装置は、携帯通信により動画像を送信している場合に、動画像の宛先になる他の通信端末装置に対して、業務用無線による音声通信を実行する。その際の操作の煩雑化を抑制するために、通信端末装置は、他の通信端末装置からの動画要求を携帯通信により受けつけると、サーバ装置にアクセスし、サーバ装置からリンク情報を取得する。通信端末装置は、リンク情報から無線ＣＨを取得して、業務用無線による音声通信を実行する。実施例２に係る通信システム、サーバ装置は、図１、図４と同様のタイプである。ここでは、これまでとの差異を中心に説明する。
【００４６】
図１６は、本発明の実施例２に係る第１通信端末装置１０ａの構成を示す。携帯通信処理部３００は、リンク情報登録部３２０、動画要求受付部３２２、リンク情報要求部３２４、リンク情報受付部３２６、動画出力部３２８を含む。第１通信端末装置１０ａは、動画像のストリーミング配信におけるサーバ機能を実行するとともに、業務用無線での発信を実行する。携帯通信部３０から制御部４６は、図２と同様であるので、ここでは説明を省略する。処理部３４は、第２通信端末装置１０ｂ、サーバ装置２０と関連しながら処理を実行するので、それらの処理と合わせて後述する。
【００４７】
図１７は、本発明の実施例２に係る第２通信端末装置１０ｂの構成を示す。携帯通信処理部５００は、リンク情報登録部５１０、リンク情報要求部５１６、リンク情報受付部５１８、動画要求部５２０、動画受付部５２２、動画再生部５２４を含む。第２通信端末装置１０ｂは、動画像のストリーミング配信におけるクライアント機能を実行するとともに、業務用無線での着信を実行する。携帯通信部５０から制御部６６は、図３と同様であるので、ここでは説明を省略する。処理部５４は、第１通信端末装置１０ａ、サーバ装置２０と関連しながら処理を実行するので、それらの処理と合わせて後述する。
【００４８】
以下では、第１通信端末装置１０ａにおける処理部３４、第２通信端末装置１０ｂにおける処理部５４、サーバ装置２０における処理部７２の処理を説明する。第２通信端末装置１０ｂの携帯通信部５０は、指示を受けつけて、携帯通信用基地局装置１２に接続する。第２通信端末装置１０ｂのリンク情報登録部５１０は、携帯通信によりサーバ装置２０へ、第２通信端末装置１０ｂのリンク情報を送信することによって、サーバ装置２０にリンク情報を登録する。サーバ装置２０の処理部７２は、第２通信端末装置１０ｂからのリンク情報を受けつけ、リンク情報を記憶部７４に記憶させる。
【００４９】
第１通信端末装置１０ａの携帯通信部３０は、指示を受けつけて、携帯通信用基地局装置１２に接続する。第１通信端末装置１０ａのリンク情報登録部３２０は、携帯通信によりサーバ装置２０へ、第１通信端末装置１０ａのリンク情報を送信することによって、サーバ装置２０にリンク情報を登録する。サーバ装置２０の処理部７２は、第１通信端末装置１０ａからのリンク情報を受けつけ、リンク情報を記憶部７４に記憶させる。
【００５０】
第２通信端末装置１０ｂのモニタ５８は、ユーザに指示の入力を促すための画面を表示する。この画面は、図７と同様である。ユーザによる動画像の選択がなされると、第２通信端末装置１０ｂのリンク情報要求部５１６は、サーバ装置２０に対して、携帯通信によりリンク情報の送信を要求する。これにより、リンク情報要求がサーバ装置２０に送信される。サーバ装置２０の処理部７２は、第２通信端末装置１０ｂからのリンク情報要求を受けつけると、記憶部７４からリンク情報を取得し、第２通信端末装置１０ｂへリンク情報を送信する。第２通信端末装置１０ｂのリンク情報受付部５１８は、サーバ装置２０からのリンク情報を携帯通信により受けつける。リンク情報受付部５１８は、リンク情報を受けつけると、リンク情報を記憶部６４に記憶する。また、リンク情報受付部５１８は、リンク情報をもとに動画選択画面を生成してモニタ５８に表示させる。動画選択画面は、図９と同様である。
【００５１】
第２通信端末装置１０ｂの動画要求部５２０は、動画選択画面にてユーザが任意の動画像を選択すると、選択された動画像の動画要求を携帯通信にてサーバ装置２０に送信する。サーバ装置２０の処理部７２は、第２通信端末装置１０ｂからの動画要求を受けつけ、これに応じて動画要求を第１通信端末装置１０ａに送信する。第１通信端末装置１０ａの動画要求受付部３２２は、サーバ装置２０からの動画要求を受信する。動画要求受付部３２２が動画要求を受けつけると、第１通信端末装置１０ａのリンク情報要求部３２４は、サーバ装置２０に対して、携帯通信によりリンク情報の送信を要求する。これにより、リンク情報要求がサーバ装置２０に送信される。
【００５２】
サーバ装置２０の処理部７２は、第１通信端末装置１０ａからのリンク情報要求を受けつけると、記憶部７４からリンク情報を取得し、第１通信端末装置１０ａへリンク情報を送信する。第１通信端末装置１０ａのリンク情報受付部３２６は、サーバ装置２０からのリンク情報を携帯通信により受けつける。リンク情報受付部３１２は、リンク情報を受けつけると、リンク情報を記憶部４４に記憶する。第１通信端末装置１０ａの動画出力部３２８は、動画要求に応じて、記憶部４４に記憶された動画データをサーバ装置２０に送信する。
【００５３】
サーバ装置２０の処理部７２は、第１通信端末装置１０ａからの動画データを受けつける。処理部７２は、動画配信の要求と許可判定にしたがって、動画データを第２通信端末装置１０ｂに送信する。このように、動画データは、サーバ装置２０を経由して配信される。さらに、処理部７２は、動画データを第２通信端末装置１０ｂに送信すると、第２通信端末装置１０ｂに動画配信したことを動画配信通知として第１通信端末装置１０ａへ通知する。第１通信端末装置１０ａの携帯通信処理部３００は、サーバ装置２０から動画配信通知を携帯通信により受けつける。
【００５４】
第２通信端末装置１０ｂの動画受付部５２２は、サーバ装置２０からの動画データを携帯通信にて受けつける。動画受付部５２２は、受けつけた動画データを動画再生部５２４に出力する。第２通信端末装置１０ｂの動画再生部５２４は、動画受付部５２２からの動画データを再生し、再生した動画データをモニタ５８に表示させる。
【００５５】
このように第１通信端末装置１０ａは、リンク情報に含まれた第１情報をもとに動画データを携帯通信により配信している。そのような状況下において、ユーザ操作によって、動画配信先に対して音声を送信すべく、音声送信の宛先の選択およびＰＴＴなどの操作がなされると、業務用無線処理部３０２は、音声送信を実行する。業務用無線による音声送信についてはこれまでと同様であるので、ここでは説明を省略する。
【００５６】
図１８は、本発明の実施例２に係る通信システム１００による通信手順を示すシーケンス図である。第２通信端末装置１０ｂは、携帯通信による接続を実行する（Ｓ１１０）。第２通信端末装置１０ｂは、サーバ装置２０にリンク情報を登録する（Ｓ１１２）。第１通信端末装置１０ａは、携帯通信による接続を実行する（Ｓ１１４）。第１通信端末装置１０ａは、サーバ装置２０にリンク情報を登録する（Ｓ１１６）。第２通信端末装置１０ｂにリンク情報要求が入力される（Ｓ１１８）。第２通信端末装置１０ｂは、サーバ装置２０へリンク情報要求を送信する（Ｓ１２０）。サーバ装置２０は、第２通信端末装置１０ｂにリンク情報を通知する（Ｓ１２２）。
【００５７】
第２通信端末装置１０ｂに動画要求が入力される（Ｓ１２４）。第２通信端末装置１０ｂは、サーバ装置２０へ動画要求を送信し（Ｓ１２６）、サーバ装置２０は、第１通信端末装置１０ａへ動画要求を送信する（Ｓ１２８）。第１通信端末装置１０ａは、サーバ装置２０へリンク情報要求を送信する（Ｓ１３０）。サーバ装置２０は、第１通信端末装置１０ａにリンク情報を通知する（Ｓ１３２）。第１通信端末装置１０ａは、サーバ装置２０へ動画データを送信し（Ｓ１３４）、サーバ装置２０は、第２通信端末装置１０ｂへ動画データを送信する（Ｓ１３６）。サーバ装置２０は、第１通信端末装置１０ａへ配信通知を送信する（Ｓ１３８）。第１通信端末装置１０ａにおいてＰＴＴのために、操作部３６のボタンが押下げられる（Ｓ１４０）。第１通信端末装置１０ａは、第２通信端末装置１０ｂへ音声を送信する（Ｓ１４２）。
【００５８】
本実施例によれば、第２通信端末装置についてのリンク情報を受けているので、第２通信端末装置へ動画データを携帯通信により配信している場合に第２通信端末装置へ業務用無線により発信するときに、リンク情報の第２情報をもとに、第２通信端末装置の無線ＣＨを特定できる。また、携帯通信により動画データを配信しているときに、第２通信端末装置の無線ＣＨが自動的に特定されるので、複数の通信方式に対応する場合でも操作の煩雑化を抑制できる。
【００５９】
（実施例３）
次に、実施例３を説明する。本発明の実施例３も、これまでと同様に、２つの無線通信方式が含まれた通信システムに関する。これまでの通信端末装置は、動画要求に応じて動画像を配信している。一方、実施例３に係る通信端末装置は、動画像をブロードキャスト送信しており、動画像を受信した他の通信端末装置に対して、業務用無線による音声通信を実行する。通信端末装置は、動画像をブロードキャスト送信する際に、動画像を受信する他の通信端末装置を認識していない。その際の操作の煩雑化を抑制するために、通信端末装置は、ブロードキャスト送信した動画像を受信している他の通信端末装置から、視聴報告を受けつけると、サーバ装置にアクセスし、サーバ装置からリンク情報を取得する。通信端末装置は、リンク情報から無線ＣＨを取得して、業務用無線による音声通信を実行する。実施例３に係る通信システム、サーバ装置は、図１、図４と同様のタイプである。ここでは、これまでとの差異を中心に説明する。
【００６０】
図１９は、本発明の実施例３に係る第１通信端末装置１０ａの構成を示す。携帯通信処理部３００は、リンク情報登録部３２０、動画出力部３２８、視聴報告受付部３３０、リンク情報要求部３２４、リンク情報受付部３２６を含む。第１通信端末装置１０ａは、動画像のストリーミング配信におけるサーバ機能を実行するとともに、業務用無線での発信を実行する。なお、実施例３におけるストリーミング配信は、ブロードキャスト送信である。携帯通信部３０から制御部４６は、図２と同様であるので、ここでは説明を省略する。処理部３４は、第２通信端末装置１０ｂ、サーバ装置２０と関連しながら処理を実行するので、それらの処理と合わせて後述する。
【００６１】
図２０は、本発明の実施例３に係る第２通信端末装置１０ｂの構成を示す。携帯通信処理部５００は、リンク情報登録部５１０、リンク情報要求部５１６、リンク情報受付部５１８、動画受付部５２２、動画再生部５２４、視聴報告部５２６を含む。第２通信端末装置１０ｂは、動画像のストリーミング配信におけるクライアント機能を実行するとともに、業務用無線での着信を実行する。携帯通信部５０から制御部６６は、図３と同様であるので、ここでは説明を省略する。処理部５４は、第１通信端末装置１０ａ、サーバ装置２０と関連しながら処理を実行するので、それらの処理と合わせて後述する。
【００６２】
以下では、第１通信端末装置１０ａにおける処理部３４、第２通信端末装置１０ｂにおける処理部５４、サーバ装置２０における処理部７２の処理を説明する。第２通信端末装置１０ｂの携帯通信部５０は、指示を受けつけて、携帯通信用基地局装置１２に接続する。第２通信端末装置１０ｂのリンク情報登録部５１０は、携帯通信によりサーバ装置２０へ、第２通信端末装置１０ｂのリンク情報を送信することによって、サーバ装置２０にリンク情報を登録する。サーバ装置２０の処理部７２は、第２通信端末装置１０ｂからのリンク情報を受けつけ、リンク情報を記憶部７４に記憶させる。
【００６３】
第１通信端末装置１０ａの携帯通信部３０は、指示を受けつけて、携帯通信用基地局装置１２に接続する。第１通信端末装置１０ａのリンク情報登録部３２０は、携帯通信によりサーバ装置２０へ、第１通信端末装置１０ａのリンク情報を送信することによって、サーバ装置２０にリンク情報を登録する。サーバ装置２０の処理部７２は、第１通信端末装置１０ａからのリンク情報を受けつけ、リンク情報を記憶部７４に記憶させる。
【００６４】
第２通信端末装置１０ｂのモニタ５８は、ユーザに指示の入力を促すための画面を表示する。この画面は、図７と同様である。ユーザによる動画像の選択がなされると、第２通信端末装置１０ｂのリンク情報要求部５１６は、サーバ装置２０に対して、携帯通信によりリンク情報の送信を要求する。これにより、リンク情報要求がサーバ装置２０に送信される。サーバ装置２０の処理部７２は、第２通信端末装置１０ｂからのリンク情報要求を受けつけると、記憶部７４からリンク情報を取得し、第２通信端末装置１０ｂへリンク情報を送信する。第２通信端末装置１０ｂのリンク情報受付部５１８は、サーバ装置２０からのリンク情報を携帯通信により受けつける。リンク情報受付部５１８は、リンク情報を受けつけると、リンク情報を記憶部６４に記憶する。
【００６５】
第１通信端末装置１０ａの動画出力部３２８は、記憶部４４に記憶された動画データをサーバ装置２０に送信する。サーバ装置２０の処理部７２は、第１通信端末装置１０ａからの動画データを受けつける。処理部７２は、動画データをブロードキャスト送信する。これは、第１通信端末装置１０ａが動画データをブロードキャスト送信することに相当する。
【００６６】
第２通信端末装置１０ｂの動画受付部５２２は、リンク情報受付部５１８において受けつけたリンク情報、特に第１情報であるＩＰアドレスをもとに、サーバ装置２０からブロードキャスト送信された動画データを携帯通信にて受けつける。動画受付部５２２は、受けつけた動画データを動画再生部５２４に出力する。第２通信端末装置１０ｂの動画再生部５２４は、動画受付部５２２からの動画データを再生し、再生した動画データをモニタ５８に表示させる。第２通信端末装置１０ｂの視聴報告部５２６は、動画再生部５２４が動画データを再生すると、そのことを知らせるための動画視聴報告を携帯通信にてサーバ装置２０に送信する。つまり、動画視聴報告は、リンク情報に含まれた第１情報をもとにした動画データの配信を第２通信端末装置１０ｂが受けていることを知らせるための情報である。サーバ装置２０の処理部７２は、第２通信端末装置１０ｂからの動画視聴報告を受けつけると、第１通信端末装置１０ａへ動画視聴報告を送信する。第１通信端末装置１０ａの視聴報告受付部３３０は、サーバ装置２０からの動画視聴報告を携帯通信にて受けつけると、第２通信端末装置１０ｂが動画データを再生していることを認識する。
【００６７】
視聴報告受付部３３０が動画視聴報告を受けつけると、第１通信端末装置１０ａのリンク情報要求部３２４は、サーバ装置２０に対して、携帯通信によりリンク情報の送信を要求する。これにより、リンク情報要求がサーバ装置２０に送信される。サーバ装置２０の処理部７２は、第１通信端末装置１０ａからのリンク情報要求を受けつけると、記憶部７４からリンク情報を取得し、第１通信端末装置１０ａへリンク情報を送信する。第１通信端末装置１０ａのリンク情報受付部３２６は、サーバ装置２０からのリンク情報を携帯通信により受けつける。リンク情報受付部３１２は、リンク情報を受けつけると、リンク情報を記憶部４４に記憶する。
【００６８】
このように第１通信端末装置１０ａは、携帯通信でのブロードキャスト送信により、動画データを配信し、かつ動画視聴報告を携帯通信により通知されている。そのような状況下において、ユーザ操作によって、動画配信先に対して音声を送信すべく、音声送信の宛先の選択およびＰＴＴなどの操作がなされると、業務用無線処理部３０２は、音声送信を実行する。業務用無線による音声送信についてはこれまでと同様であるので、ここでは説明を省略する。
【００６９】
図２１は、本発明の実施例３に係る通信システム１００による通信手順を示すシーケンス図である。第２通信端末装置１０ｂは、携帯通信による接続を実行する（Ｓ１６０）。第２通信端末装置１０ｂは、サーバ装置２０にリンク情報を登録する（Ｓ１６２）。第１通信端末装置１０ａは、携帯通信による接続を実行する（Ｓ１６４）。第１通信端末装置１０ａは、サーバ装置２０にリンク情報を登録する（Ｓ１６６）。第２通信端末装置１０ｂにリンク情報要求が入力される（Ｓ１６８）。第２通信端末装置１０ｂは、サーバ装置２０へリンク情報要求を送信する（Ｓ１７０）。サーバ装置２０は、第２通信端末装置１０ｂにリンク情報を通知する（Ｓ１７２）。
【００７０】
第１通信端末装置１０ａは、サーバ装置２０へ動画データを送信し（Ｓ１７４）、サーバ装置２０は、第２通信端末装置１０ｂへ動画データを送信する（Ｓ１７６）。第２通信端末装置１０ｂは、サーバ装置２０へ視聴報告を送信し（Ｓ１７８）、サーバ装置２０は、第１通信端末装置１０ａへ視聴報告を送信する（Ｓ１８０）。第１通信端末装置１０ａは、サーバ装置２０へリンク情報要求を送信する（Ｓ１８２）。サーバ装置２０は、第１通信端末装置１０ａにリンク情報を通知する（Ｓ１８４）。第１通信端末装置１０ａにおいてＰＴＴのために、操作部３６のボタンが押下げられる（Ｓ１８６）。第１通信端末装置１０ａは、第２通信端末装置１０ｂへ音声を送信する（Ｓ１８８）。
【００７１】
本実施例によれば、第２通信端末装置についてのリンク情報を受けているので、第２通信端末装置へ動画データを携帯通信によりブロードキャスト送信している場合に第２通信端末装置へ業務用無線により発信するときに、リンク情報の第２情報をもとに、第２通信端末装置の無線ＣＨを特定できる。また、携帯通信により動画データをブロードキャスト送信しているときに、第２通信端末装置の無線ＣＨが自動的に特定されるので、複数の通信方式に対応する場合でも操作の煩雑化を抑制できる。また、視聴報告を受けつけるので、ブロードキャスト送信した動画データを再生している通信端末装置を認識できる。
【００７２】
（実施例４）
次に、実施例４を説明する。本発明の実施例４も、これまでと同様に、２つの無線通信方式が含まれた通信システムに関する。実施例１に係る通信端末装置は、携帯通信により動画像を受信している場合に、動画像の送信元になる他の通信端末装置に対して、業務用無線による音声通信を実行する。また、このような処理を実現するために、通信端末装置は、サーバ装置からリンク情報を取得している。一方、実施例４でも、実施例１と同様の状況で動画像の配信、音声通信がなされるが、サーバ装置が構成に含まれない。実施例４に係る第１通信端末装置１０ａは、図２と同様のタイプである。ここでは、これまでとの差異を中心に説明する。
【００７３】
図２２は、本発明の実施例４に係る通信システム１００の構成を示す。通信システム１００は、図１と比較してサーバ装置２０を含まない。図１では、サーバ装置２０がリンク情報を記憶・管理していたが、ここでは、第１通信端末装置１０ａと第２通信端末装置１０ｂがリンク情報を記憶・管理する。そのため、第１通信端末装置１０ａ、第２通信端末装置１０ｂは、第１携帯通信用基地局装置１２ａ、交換局１４、第２携帯通信用基地局装置１２ｂを介して、リンク情報を送信したり、受信したりする。このような形態により、第１通信端末装置１０ａと第２通信端末装置１０ｂとの間において、リンク情報の直接の交換が可能になる。
【００７４】
図２３は、第２通信端末装置１０ｂの構成を示す。携帯通信処理部５００は、リンク情報要求受付部５２８、リンク情報通知部５３０、動画要求受付部５１２、動画出力部５１４を含む。第２通信端末装置１０ｂは、動画像のストリーミング配信におけるサーバ機能を実行するとともに、業務用無線での着信を実行する。携帯通信部５０から制御部６６は、図３と同様であるので、ここでは説明を省略する。
【００７５】
以下では、第１通信端末装置１０ａにおける処理部３４、第２通信端末装置１０ｂにおける処理部５４の処理を説明する。第１通信端末装置１０ａのモニタ３８は、ユーザに指示の入力を促すための画面を表示する。ユーザによる動画像の選択がなされると、第１通信端末装置１０ａのリンク情報要求部３１０は、第２通信端末装置１０ｂに対して、携帯通信によりリンク情報の送信を要求する。これにより、リンク情報要求が第２通信端末装置１０ｂに送信される。第２通信端末装置１０ｂのリンク情報要求受付部５２８は、第１通信端末装置１０ａからのリンク情報要求を携帯通信により受けつける。第２通信端末装置１０ｂのリンク情報通知部５３０は、携帯通信により第１通信端末装置１０ａへ、第２通信端末装置１０ｂのリンク情報を送信する。
【００７６】
第１通信端末装置１０ａのリンク情報受付部３１２は、第２通信端末装置１０ｂからのリンク情報を携帯通信により受けつける。リンク情報受付部３１２は、リンク情報を受けつけると、リンク情報を記憶部４４に記憶する。また、リンク情報受付部３１２は、リンク情報をもとに動画選択画面を生成してモニタ３８に表示させる。第１通信端末装置１０ａの動画要求部３１４は、動画選択画面にてユーザが任意の動画像を選択すると、選択された動画像の動画要求を携帯通信にて第２通信端末装置１０ｂに送信する。
【００７７】
第２通信端末装置１０ｂの動画要求受付部５１２は、第１通信端末装置１０ａからの動画要求を携帯通信により受信する。第２通信端末装置１０ｂの動画出力部５１４は、動画要求に応じて、記憶部６４に記憶された動画データを第１通信端末装置１０ａへ携帯通信により送信する。第１通信端末装置１０ａの動画受付部３１６は、第２通信端末装置１０ｂからの動画データを携帯通信にて受けつける。動画受付部３１６は、受けつけた動画データを動画再生部３１８に出力する。第１通信端末装置１０ａの動画再生部３１８は、動画受付部３１６からの動画データを再生し、再生した動画データをモニタ３８に表示させる。
【００７８】
このように第１通信端末装置１０ａは、リンク情報に含まれた第１情報をもとに動画データの配信を携帯通信により受けている。そのような状況下において、ユーザ操作によって、視聴中の動画配信元に対して音声を送信すべく、音声送信の宛先の選択およびＰＴＴなどの操作がなされると、業務用無線処理部３０２は、音声送信を実行する。業務用無線による音声送信についてはこれまでと同様であるので、ここでは説明を省略する。
【００７９】
図２４は、通信システム１００による通信手順を示すシーケンス図である。第１通信端末装置１０ａにリンク情報要求が入力される（Ｓ２００）。第１通信端末装置１０ａは、第２通信端末装置１０ｂへリンク情報要求を送信する（Ｓ２０２）。第２通信端末装置１０ｂは、第１通信端末装置１０ａにリンク情報を通知する（Ｓ２０４）。第１通信端末装置１０ａに動画要求が入力される（Ｓ２０６）。第１通信端末装置１０ａは、第２通信端末装置１０ｂへ動画要求を送信する（Ｓ２０８）。第２通信端末装置１０ｂは、第１通信端末装置１０ａへ動画データを送信する（Ｓ２１０）。第１通信端末装置１０ａにおいてＰＴＴのために、操作部３６のボタンが押下げられる（Ｓ２１２）。第１通信端末装置１０ａは、第２通信端末装置１０ｂへ音声を送信する（Ｓ２１４）。
【００８０】
本実施例によれば、第２通信端末装置についてのリンク情報を受けているので、第２通信端末装置から動画データを携帯通信により受信している場合に第２通信端末装置へ業務用無線により発信するときに、リンク情報の第２情報をもとに、第２通信端末装置の無線ＣＨを特定できる。また、予めリンク情報を受けつけているので、第２通信端末装置の無線ＣＨを自動的に特定できる。また、携帯通信により動画データを受信しているときに、第２通信端末装置の無線ＣＨが自動的に特定されるので、複数の通信方式に対応する場合でも操作の煩雑化を抑制できる。また、携帯通信を実行しているときに、第２通信端末装置の無線ＣＨが自動的に特定されるので、複数の通信方式に対応する場合でも操作の煩雑化を抑制できる。また、リンク情報を通信端末装置間において直接伝送するので、サーバ装置を不要にできる。また、サーバ装置が不要になるので、構成を簡易にできる。
【００８１】
（実施例５）
次に、実施例５を説明する。本発明の実施例５も、これまでと同様に、２つの無線通信方式が含まれた通信システムに関する。実施例２に係る通信端末装置は、携帯通信により動画像を送信している場合に、動画像の宛先になる他の通信端末装置に対して、業務用無線による音声通信を実行する。また、このような処理を実現するために、通信端末装置は、サーバ装置からリンク情報を取得している。一方、実施例５でも、実施例２と同様の状況で動画像の配信、音声通信がなされるが、サーバ装置が構成に含まれない。実施例５に係る通信システムは、図２２と同様のタイプである。ここでは、これまでとの差異を中心に説明する。
【００８２】
図２５は、本発明の実施例５に係る第１通信端末装置１０ａの構成を示す。携帯通信処理部３００は、リンク情報要求受付部３３２、リンク情報通知部３３４、動画要求受付部３２２、リンク情報要求部３２４、リンク情報受付部３２６、動画出力部３２８を含む。第１通信端末装置１０ａは、動画像のストリーミング配信におけるサーバ機能を実行するとともに、業務用無線での発信を実行する。携帯通信部３０から制御部４６は、図２と同様であるので、ここでは説明を省略する。
【００８３】
図２６は、本発明の実施例５に係る第２通信端末装置１０ｂの構成を示す。携帯通信処理部５００は、リンク情報要求部５１６、リンク情報受付部５１８、動画要求部５２０、リンク情報要求受付部５２８、リンク情報通知部５３０、動画受付部５２２、動画再生部５２４を含む。第２通信端末装置１０ｂは、動画像のストリーミング配信におけるクライアント機能を実行するとともに、業務用無線での着信を実行する。携帯通信部５０から制御部６６は、図３と同様であるので、ここでは説明を省略する。
【００８４】
以下では、第１通信端末装置１０ａにおける処理部３４、第２通信端末装置１０ｂにおける処理部５４の処理を説明する。第２通信端末装置１０ｂのモニタ５８は、ユーザに指示の入力を促すための画面を表示する。ユーザによる動画像の選択がなされると、第２通信端末装置１０ｂのリンク情報要求部５１６は、第１通信端末装置１０ａに対して、携帯通信によりリンク情報の送信を要求する。これにより、リンク情報要求が第１通信端末装置１０ａに送信される。第１通信端末装置１０ａのリンク情報要求受付部３３２は、第２通信端末装置１０ｂからのリンク情報を携帯通信により受けつける。第１通信端末装置１０ａのリンク情報通知部３３４は、携帯通信により第２通信端末装置１０ｂへ、第１通信端末装置１０ａのリンク情報を送信する。
【００８５】
第２通信端末装置１０ｂのリンク情報受付部５１８は、第１通信端末装置１０ａからのリンク情報を携帯通信により受けつける。リンク情報受付部５１８は、リンク情報を受けつけると、リンク情報を記憶部６４に記憶する。また、リンク情報受付部５１８は、リンク情報をもとに動画選択画面を生成してモニタ５８に表示させる。第２通信端末装置１０ｂの動画要求部５２０は、動画選択画面にてユーザが任意の動画像を選択すると、選択された動画像の動画要求を携帯通信にて第１通信端末装置１０ａに送信する。
【００８６】
第１通信端末装置１０ａの動画要求受付部３２２は、第２通信端末装置１０ｂからの動画要求を受信する。動画要求受付部３２２が動画要求を受けつけると、第１通信端末装置１０ａのリンク情報要求部３２４は、第２通信端末装置１０ｂに対して、携帯通信によりリンク情報の送信を要求する。これにより、リンク情報要求が第２通信端末装置１０ｂに送信される。第２通信端末装置１０ｂのリンク情報要求受付部５２８は、第１通信端末装置１０ａからのリンク情報要求を携帯通信により受けつける。第２通信端末装置１０ｂのリンク情報通知部５３０は、携帯通信により第１通信端末装置１０ａへ、第２通信端末装置１０ｂのリンク情報を送信する。
【００８７】
第１通信端末装置１０ａのリンク情報受付部３２６は、第２通信端末装置１０ｂからのリンク情報を携帯通信により受けつける。リンク情報受付部３１２は、リンク情報を受けつけると、リンク情報を記憶部４４に記憶する。第１通信端末装置１０ａの動画出力部３２８は、動画要求に応じて、記憶部４４に記憶された動画データを第２通信端末装置１０ｂに送信する。第２通信端末装置１０ｂの動画受付部５２２は、第１通信端末装置１０ａからの動画データを携帯通信にて受けつける。動画受付部５２２は、受けつけた動画データを動画再生部５２４に出力する。第２通信端末装置１０ｂの動画再生部５２４は、動画受付部５２２からの動画データを再生し、再生した動画データをモニタ５８に表示させる。
【００８８】
このように第１通信端末装置１０ａは、リンク情報に含まれた第１情報をもとに動画データを携帯通信により配信している。そのような状況下において、ユーザ操作によって、動画配信先に対して音声を送信すべく、音声送信の宛先の選択およびＰＴＴなどの操作がなされると、業務用無線処理部３０２は、音声送信を実行する。業務用無線による音声送信についてはこれまでと同様であるので、ここでは説明を省略する。
【００８９】
図２７は、本発明の実施例５に係る通信システム１００による通信手順を示すシーケンス図である。第２通信端末装置１０ｂにリンク情報要求が入力される（Ｓ２３０）。第２通信端末装置１０ｂは、第１通信端末装置１０ａへリンク情報要求を送信する（Ｓ２３２）。第１通信端末装置１０ａは、第２通信端末装置１０ｂにリンク情報を通知する（Ｓ２３４）。第２通信端末装置１０ｂに動画要求が入力される（Ｓ２３６）。第２通信端末装置１０ｂは、第１通信端末装置１０ａへ動画要求を送信する（Ｓ２３８）。第１通信端末装置１０ａは、第２通信端末装置１０ｂへリンク情報要求を送信する（Ｓ２４０）。第２通信端末装置１０ｂは、第１通信端末装置１０ａにリンク情報を通知する（Ｓ２４２）。第１通信端末装置１０ａは、第２通信端末装置１０ｂへ動画データを送信する（Ｓ２４４）。第１通信端末装置１０ａにおいてＰＴＴのために、操作部３６のボタンが押下げられる（Ｓ２４６）。第１通信端末装置１０ａは、第２通信端末装置１０ｂへ音声を送信する（Ｓ２４８）。
【００９０】
本実施例によれば、第２通信端末装置についてのリンク情報を受けているので、第２通信端末装置へ動画データを携帯通信により配信している場合に第２通信端末装置へ業務用無線により発信するときに、リンク情報の第２情報をもとに、第２通信端末装置の無線ＣＨを特定できる。また、携帯通信により動画データを配信しているときに、第２通信端末装置の無線ＣＨが自動的に特定されるので、複数の通信方式に対応する場合でも操作の煩雑化を抑制できる。また、リンク情報を通信端末装置間において直接伝送するので、サーバ装置を不要にできる。また、サーバ装置が不要になるので、構成を簡易にできる。
【００９１】
（実施例６）
次に、実施例６を説明する。本発明の実施例５も、これまでと同様に、２つの無線通信方式が含まれた通信システムに関する。実施例３に係る通信端末装置は、動画像をブロードキャスト送信しており、動画像を受信した他の通信端末装置に対して、業務用無線による音声通信を実行する。また、このような処理を実現するために、通信端末装置は、ブロードキャスト送信した動画像を受信している他の通信端末装置から、視聴報告を受けつけると、サーバ装置にアクセスし、サーバ装置からリンク情報を取得する。一方、実施例６でも、実施例３と同様の状況で動画像のブロードキャスト送信、音声通信がなされるが、サーバ装置が構成に含まれない。実施例６に係る通信システムは、図２２と同様のタイプである。ここでは、これまでとの差異を中心に説明する。
【００９２】
図２８は、本発明の実施例６に係る第１通信端末装置１０ａの構成を示す。携帯通信処理部３００は、リンク情報要求受付部３３２、リンク情報通知部３３４、動画出力部３２８、視聴報告受付部３３０、リンク情報要求部３２４、リンク情報受付部３２６を含む。第１通信端末装置１０ａは、動画像のストリーミング配信におけるサーバ機能を実行するとともに、業務用無線での発信を実行する。なお、実施例３におけるストリーミング配信は、ブロードキャスト送信である。携帯通信部３０から制御部４６は、図２と同様であるので、ここでは説明を省略する。
【００９３】
図２９は、本発明の実施例６に係る第２通信端末装置１０ｂの構成を示す。携帯通信処理部５００は、リンク情報要求部５１６、リンク情報受付部５１８、動画受付部５２２、動画再生部５２４、視聴報告部５２６、リンク情報要求受付部５２８、リンク情報通知部５３０を含む。第２通信端末装置１０ｂは、動画像のストリーミング配信におけるクライアント機能を実行するとともに、業務用無線での着信を実行する。携帯通信部５０から制御部６６は、図３と同様であるので、ここでは説明を省略する。
【００９４】
以下では、第１通信端末装置１０ａにおける処理部３４、第２通信端末装置１０ｂにおける処理部５４の処理を説明する。第２通信端末装置１０ｂのモニタ５８は、ユーザに指示の入力を促すための画面を表示する。ユーザによる動画像の選択がなされると、第２通信端末装置１０ｂのリンク情報要求部５１６は、第１通信端末装置１０ａに対して、携帯通信によりリンク情報の送信を要求する。これにより、リンク情報要求が第１通信端末装置１０ａに送信される。第１通信端末装置１０ａのリンク情報要求受付部３３２は、第２通信端末装置１０ｂからのリンク情報を携帯通信により受けつける。第１通信端末装置１０ａのリンク情報通知部３３４は、携帯通信により第２通信端末装置１０ｂへ、第１通信端末装置１０ａのリンク情報を送信する。
【００９５】
第２通信端末装置１０ｂのリンク情報受付部５１８は、第１通信端末装置１０ａからのリンク情報を携帯通信により受けつける。リンク情報受付部５１８は、リンク情報を受けつけると、リンク情報を記憶部６４に記憶する。第１通信端末装置１０ａの動画出力部３２８は、記憶部４４に記憶された動画データをブロードキャスト送信する。
【００９６】
第２通信端末装置１０ｂの動画受付部５２２は、受けつけたリンク情報、特に第１情報であるＩＰアドレスをもとに、第１通信端末装置１０ａからブロードキャスト送信された動画データを携帯通信にて受けつける。動画受付部５２２は、受けつけた動画データを動画再生部５２４に出力する。第２通信端末装置１０ｂの動画再生部５２４は、動画受付部５２２からの動画データを再生し、再生した動画データをモニタ５８に表示させる。第２通信端末装置１０ｂの視聴報告部５２６は、動画再生部５２４が動画データを再生すると、そのことを知らせるための動画視聴報告を携帯通信にて第１通信端末装置１０ａに送信する。第１通信端末装置１０ａの視聴報告受付部３３０は、第２通信端末装置１０ｂからの動画視聴報告を携帯通信にて受けつけると、第２通信端末装置１０ｂが動画データを再生していることを認識する。
【００９７】
視聴報告受付部３３０が動画視聴報告を受けつけると、第１通信端末装置１０ａのリンク情報要求部３２４は、第２通信端末装置１０ｂに対して、携帯通信によりリンク情報の送信を要求する。これにより、リンク情報要求が第２通信端末装置１０ｂに送信される。第２通信端末装置１０ｂのリンク情報要求受付部５２８は、第１通信端末装置１０ａからのリンク情報要求を携帯通信により受けつける。第２通信端末装置１０ｂのリンク情報通知部５３０は、携帯通信により第１通信端末装置１０ａへ、第２通信端末装置１０ｂのリンク情報を送信する。第１通信端末装置１０ａのリンク情報受付部３２６は、第２通信端末装置１０ｂからのリンク情報を携帯通信により受けつける。リンク情報受付部３１２は、リンク情報を受けつけると、リンク情報を記憶部４４に記憶する。
【００９８】
このように第１通信端末装置１０ａは、携帯通信でのブロードキャスト送信により、動画データを配信し、かつ動画視聴報告を携帯通信により通知されている。そのような状況下において、ユーザ操作によって、動画配信先に対して音声を送信すべく、音声送信の宛先の選択およびＰＴＴなどの操作がなされると、業務用無線処理部３０２は、音声送信を実行する。業務用無線による音声送信についてはこれまでと同様であるので、ここでは説明を省略する。
【００９９】
図３０は、本発明の実施例６に係る通信システム１００による通信手順を示すシーケンス図である。第２通信端末装置１０ｂにリンク情報要求が入力される（Ｓ２６０）。第２通信端末装置１０ｂは、第１通信端末装置１０ａへリンク情報要求を送信する（Ｓ２６２）。第１通信端末装置１０ａは、第２通信端末装置１０ｂにリンク情報を通知する（Ｓ２６４）。第１通信端末装置１０ａは、第２通信端末装置１０ｂへ動画データを送信する（Ｓ２６６）。第２通信端末装置１０ｂは、第１通信端末装置１０ａへ視聴報告を送信する（Ｓ２６８）。第１通信端末装置１０ａは、第２通信端末装置１０ｂへリンク情報要求を送信する（Ｓ２７０）。第２通信端末装置１０ｂは、第１通信端末装置１０ａにリンク情報を通知する（Ｓ２７２）。第１通信端末装置１０ａにおいてＰＴＴのために、操作部３６のボタンが押下げられる（Ｓ２７４）。第１通信端末装置１０ａは、第２通信端末装置１０ｂへ音声を送信する（Ｓ２７６）。
【０１００】
本実施例によれば、第２通信端末装置についてのリンク情報を受けているので、第２通信端末装置へ動画データを携帯通信によりブロードキャスト送信している場合に第２通信端末装置へ業務用無線により発信するときに、リンク情報の第２情報をもとに、第２通信端末装置の無線ＣＨを特定できる。また、携帯通信により動画データをブロードキャスト送信しているときに、第２通信端末装置の無線ＣＨが自動的に特定されるので、複数の通信方式に対応する場合でも操作の煩雑化を抑制できる。また、視聴報告を受けつけるので、ブロードキャスト送信した動画データを再生している通信端末装置を認識できる。また、リンク情報を通信端末装置間において直接伝送するので、サーバ装置を不要にできる。また、サーバ装置が不要になるので、構成を簡易にできる。
【０１０１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【０１０２】
本発明の実施例１乃至６では、携帯通信によって動画配信する場合を説明している。しかしながらこれに限らず例えば、携帯通信により提供するサービスは動画配信でなくてもよい。具体的に説明すると、サーマルカメラ（温度異常の検出）、煙検出デバイス（外気異常の検出）、ガスセンサデバイス（一酸化炭素の異常検出、水素など危険なガスの異常検出）のような周囲の異常検出可能なデバイスにおいて生成されたデータが配信されてもよい。本変形例によれば、さまざまな情報が携帯通信によって配信させることができる。
【０１０３】
本発明の実施例１乃至６において、業務用無線を第２通信方式とする場合の第１通信方式が携帯通信であるとあるとして説明している。しかしながらこれに限らず例えば、第１通信方式は、携帯通信でなくてもよく、有線通信であってもよい。本変形例によれば、第１通信方式としてさまざまな通信方式を適用可能である。
【０１０４】
本発明の実施例１乃至３において、サーバ装置２０経由で動画データが配信されている。しかしながらこれに限らず例えば、サーバ装置２０を経由せずに、第１通信端末装置１０ａと第２通信端末装置１０ｂの間で動画データが配信されてもよい。本変形例によれば、サーバ装置２０の処理量を低減できる。
【０１０５】
本発明の実施例４乃至６において、第１通信端末装置１０ａと第２通信端末装置１０ｂの間でリンク情報が伝送されている。しかしながらこれに限らず例えば、第１通信端末装置１０ａの記憶部４４と第２通信端末装置１０ｂの記憶部６４に、リンク情報が予め記憶されていてもよい。本変形例によれば、リンク情報を要求するステップと、リンク情報を通知するステップとを省略できる。
【０１０６】
本発明の実施例１の図１２において、ステップ１０から１８に続いて、ステップ２２から２８が実行されているが、ステップ１０から１８の前に、ステップ２２から２８が実行されてもよい。本発明の実施例２の図１８において、ステップ１１０から１２２に続いて、ステップ１２６から１３８が実行されているが、ステップ１１０から１２２の前に、ステップ１２６から１３８が実行されてもよい。本発明の実施例３の図２１において、ステップ１６０から１７２に続いて、ステップ１７４から１８４が実行されているが、ステップ１６０から１７２の前に、ステップ１７４から１８４が実行されてもよい。本発明の実施例４の図２４において、ステップ２００から２０４に続いてステップ２０８から２１０が実行されているが、ステップ２００から２０４の前に、ステップ２０８から２１０が実行されてもよい。本発明の実施例５の図２７において、ステップ２３０から２４２に続いて、ステップ２４４が実行されているが、ステップ２３０から２４２の前に、ステップ２４４が実行されてもよい。本発明の実施例６の図３０において、ステップ２６０から２６４に続いて、ステップ２６６から２７２が実行されているが、ステップ２６０から２６４の前に、ステップ２６６から２７２が実行されてもよい。本変形例によれば、構成の自由度を向上できる。
【符号の説明】
【０１０７】
１０  通信端末装置、  １２  携帯通信用基地局装置、  １４  交換局、  １６  ＰＳＴＮ、  １８  インターネット、  ２０  サーバ装置、  ２２  業務用無線用基地局装置、  ２４  ネットワーク、  ３０  携帯通信部、  ３２  業務用無線通信部、  ３４  処理部、  ３６  操作部、  ３８  モニタ、  ４０  マイク、  ４２  スピーカ、  ４４  記憶部、  ４６  制御部、  ５０  携帯通信部、  ５２  業務用無線通信部、  ５４  処理部、  ５６  操作部、  ５８  モニタ、  ６０  マイク、  ６２  スピーカ、  ６４  記憶部、  ６６  制御部、  ７０  通信部、  ７２  処理部、  ７４  記憶部、  １００  通信システム、  ３００  携帯通信処理部、  ３０２  業務用無線処理部、  ３１０  リンク情報要求部、  ３１２  リンク情報受付部、  ３１４  動画要求部、  ３１６  動画受付部、  ３１８  動画再生部、  ５００  携帯通信処理部、  ５０２  業務用無線処理部、  ５１０  リンク情報登録部、  ５１２  動画要求受付部、  ５１４  動画出力部。
【図１】
2016100765.tif 000003
【図２】
2016100765.tif 000004
【図３】
2016100765.tif 000005
【図４】
2016100765.tif 000006
【図５】
2016100765.tif 000007
【図６】
2016100765.tif 000008
【図７】
2016100765.tif 000009
【図８】
2016100765.tif 000010
【図９】
2016100765.tif 000011
【図１０】
2016100765.tif 000012
【図１１】
2016100765.tif 000013
【図１２】
2016100765.tif 000014
【図１３】
2016100765.tif 000015
【図１４】
2016100765.tif 000016
【図１５】
2016100765.tif 000017
【図１６】
2016100765.tif 000018
【図１７】
2016100765.tif 000019
【図１８】
2016100765.tif 000020
【図１９】
2016100765.tif 000021
【図２０】
2016100765.tif 000022
【図２１】
2016100765.tif 000023
【図２２】
2016100765.tif 000024
【図２３】
2016100765.tif 000025
【図２４】
2016100765.tif 000026
【図２５】
2016100765.tif 000027
【図２６】
2016100765.tif 000028
【図２７】
2016100765.tif 000029
【図２８】
2016100765.tif 000030
【図２９】
2016100765.tif 000031
【図３０】
2016100765.tif 000032